(57)【要約】【課題】撮影部位に応じてＸ線フィルムを口内の任意の位置に配置することができる咬翼法Ｘ線撮影用フィルムホルダを提供することである。【解決手段】Ｘ線フィルム５を保持する保持部２を、シリコン樹脂のような柔軟性を有する素材で構成し、保持部２に板形状の翼部３を一体固着する。保持部２はＸ線フィルム５に環状に密着してＸ線フィルム５の周囲に沿って摺動回転可能であり、保持部２がＸ線フィルム５に沿って摺動回転すると、翼部３とＸ線フィルム５との位置関係が変化する。【選択図】図２
2012183226.tif 000002
【特許請求の範囲】
【請求項１】
Ｘ線フィルムを口内に配置して上下顎臼歯とその歯周部をＸ線撮影する際に使用される咬翼法Ｘ線撮影用フィルムホルダであって、
保持部と翼部とを有しており、
前記保持部は、Ｘ線フィルムに環状に密着し、さらにＸ線フィルムの周囲に沿って回転変形可能な柔軟性を有する素材で構成されており、
前記翼部は前記保持部に固定されている
ことを特徴とする咬翼法Ｘ線撮影用フィルムホルダ。
【請求項２】
前記翼部は、保持部と一体成形されていることを特徴とする請求項１に記載の咬翼法Ｘ線撮影用フィルムホルダ。
【請求項３】
少なくとも前記保持部が、シリコン樹脂で形成されていることを特徴とする請求項１又は請求項２に記載の咬翼法Ｘ線撮影用フィルムホルダ。
【発明の詳細な説明】
【技術分野】
【０００１】
本発明は、口内法Ｘ線撮影において、咬翼法によって口内のＸ線撮影を実施する際に、Ｘ線フィルムを口内で保持するホルダに関するものである。
【背景技術】
【０００２】
口内をＸ線撮影する方法の一つに咬翼法がある。咬翼法は、Ｘ線フィルムをホルダで保持し、Ｘ線フィルムを歯の裏面側に配置し、さらにホルダに設けられた翼部を上下顎臼歯で噛むことにより、Ｘ線フィルムを口内で固定し、Ｘ線撮影するものである。すなわち、翼部は、Ｘ線フィルムに対して直交するようにホルダに取り付けられており、翼部を噛むことにより、Ｘ線フィルムが上下顎臼歯とその歯周部に対向するように口内で固定される。このような咬翼法に係る発明が特許文献１に開示されている。特許文献１には、歯科医が患者の口内に配置されたＸ線フィルムを清潔に回収することができる構成が開示されている。
【０００３】
図４（ａ）〜（ｄ）は、特許文献１に開示されているＸ線フィルム包装体５２を保持するホルダ５１を示している。図４（ａ）に示すようにホルダ５１は、１枚のシート部材が折り返されて収容部５１ａと掴み部５１ｃとを構成している。収容部５１ａは、紙面の手前側と奥側の側面が開口する筒構造を呈しており、収容部５１ａ内には内部空間５１ｂが形成されている。また、掴み部５１ｃは、収容部５１ａと連続している。掴み部５１ｃの紙面の手前側と奥側の側面は、接着等で閉じられており、掴み部５１ｃの中央部分には、後述するＸ線フィルム包装体５２の咬合部５５を挿入可能である。図４には示していないが、掴み部５１ｃの紙面に直交する方向の幅寸法は、収容部５１ａの同方向の幅寸法よりも短い。
【０００４】
このホルダ５１の内部空間５１ｂに、図４（ｂ）に示すＸ線フィルム包装体５２が、図４（ｃ）に示すように配置される。Ｘ線フィルム包装体５２は、収容部５２ａ，支持部５４，及び咬合部５５とを有している。収容部５２ａは、Ｘ線フィルム包装体５２の本体であり、内部にＸ線フィルム５３を密閉収容することができる。収容部５２ａの中央部分には咬合部５５と一体の支持部５４が固着されている。支持部５４と咬合部５５は、共に薄い板形状を呈しており、支持部５４の中央部分に咬合部５５の一端が固定されている。咬合部５５は、支持部５４及び収容部５２ａに沿った状態から、支持部５４及び収容部５２ａに直交する状態まで、自在に姿勢を変更できる柔軟性を有する素材で構成されている。通常は、咬合部５５は図４（ｂ）に示すように収容部５２ａに沿っている。また、図４（ｂ）に示す咬合部５５の紙面に直交する方向の幅寸法は、ホルダ５１の掴み部５１ｃの同方向の幅寸法よりも短く、咬合部５５は、掴み部５１ｃ内に挿入（又は侵入）可能である。
【０００５】
そして、Ｘ線フィルム５３を内蔵したＸ線フィルム包装体５２を、図４（ｃ）に示すようにホルダ５１の内部空間５１ｂに配置する。次に、図４（ｄ）に示すようにＸ線フィルム包装体５２を右回りに９０度回転させ、上方に位置していた咬合部５５を右方へ移動させると共に、咬合部５５をホルダ５１の掴み部５１ｃ内に挿入する。
【０００６】
この図４（ｄ）に示す状態が、ホルダ５１の使用時の形態である。すなわち、図４（ｄ）に示す掴み部５１ｃの領域Ｒ１を上下顎の臼歯で噛むことにより、ホルダ５１の収容部５１ａが口内に配置され固定される。そして、掴み部５１ｃの領域Ｒ２の部分が口から外に出る。
【０００７】
Ｘ線撮影が完了すると、歯科医は掴み部５１ｃの領域Ｒ２の部位を掴み、ホルダ５１の収容部５１ａを口内から引っ張り出し、Ｘ線フィルム５３を回収する。図４には示していないが、ホルダ５１の掴み部５１ｃには切れ目が設けられており、切れ目に沿って掴み部５１ｃから収容部５１ａに至るまで一気に破ることができる。すなわち、歯科医は口内に入った収容部５１ａに触れることなく収容部５１ａを破ることができ、手に唾液を付着させることなくＸ線フィルム５３を回収することができる。
【先行技術文献】
【特許文献】
【０００８】
【特許文献１】特開平６−２８９５４３号公報
【発明の概要】
【発明が解決しようとする課題】
【０００９】
ところで、特許文献１に開示されているホルダ５１は、掴み部５１ｃにＸ線フィルム包装体５２の咬合部５５を挿入する構成であるため、使用時には必ず図４（ｄ）に示す形態となる。その結果、Ｘ線フィルム５３と掴み部５１ｃ（咬合部５５）の位置関係が固定されてしまい、口内の撮影部位に応じてＸ線フィルム５３を偏らせて配置することができない。
【００１０】
すなわち、従来の咬翼法で使用されるホルダでは、口内の撮影部位に応じてＸ線フィルムを自在に配置することができず、撮影部位ごとに異なるホルダを使用してＸ線フィルムの位置を変更し、Ｘ線撮影を実施するしかなかった。例えば上顎臼歯とその歯周部を撮影する際には上顎用のホルダが必要であり、下顎臼歯とその歯周部を撮影する際には下顎用のホルダが別途必要である。
【００１１】
そこで本発明では、撮影部位に応じてＸ線フィルムを口内の任意の位置に配置することができる咬翼法Ｘ線撮影用フィルムホルダを提供することを課題とする。
【課題を解決するための手段】
【００１２】
上記課題を解決するための請求項１の発明は、Ｘ線フィルムを口内に配置して上下顎臼歯とその歯周部をＸ線撮影する際に使用される咬翼法Ｘ線撮影用フィルムホルダであって、保持部と翼部とを有しており、前記保持部は、Ｘ線フィルムに環状に密着し、さらにＸ線フィルムの周囲に沿って回転変形可能な柔軟性を有する素材で構成されており、前記翼部は前記保持部に固定されていることを特徴とする咬翼法Ｘ線撮影用フィルムホルダである。
【００１３】
請求項１の発明では、保持部がＸ線フィルムの周囲に沿って回転変形可能な柔軟性を有する素材で構成されているので、保持部に固定された翼部の位置をＸ線フィルムに沿って変更可能である。
そして、翼部を上顎臼歯と下顎臼歯で噛むことにより、Ｘ線フィルムを目的とする位置の上下顎の臼歯とそれぞれの歯周部に対向配置させることができる。すなわち、翼部をＸ線フィルムに沿って移動させると、保持部はＸ線フィルムの周囲に沿って回転変形する。その結果、仮に翼部を下方に移動させると、Ｘ線フィルムは上顎臼歯とその歯周部に確実に対向し、逆に翼部を上方に移動させると、Ｘ線フィルムは下顎臼歯とその歯周部に確実に対向する。よって、撮影したい部位にＸ線フィルムを対向させ、良好にＸ線撮影を実施することができる。すなわち、単一の咬翼法Ｘ線撮影用フィルムホルダで、口内の任意の臼歯とその歯周部を良好に平行法でＸ線撮影することができる。すなわち、上下顎の臼歯とそれぞれの歯周部を任意に選定し、平行法で良好にＸ線撮影することができる。
また、Ｘ線フィルムの上下寸法（すなわち縦寸法）を、上顎臼歯と下顎臼歯に同時に届く大きさに設定すると、Ｘ線フィルムを口内に入れるのが大変であり、患者に掛かる負担が大きくなるが、本発明を実施すると、Ｘ線フィルムの上下寸法を、上顎臼歯とその歯周部、又は下顎臼歯とその歯周部に対向可能な程度の大きさとすることができ、口内にＸ線フィルムを入れ易く、患者に掛かる負担を小さくすることができる。
ここでＸ線フィルムとは、Ｘ線フィルム自体と、Ｘ線フィルムを遮光する包装体とを含む概念である。
【００１４】
請求項２の発明は、前記翼部は、保持部と一体成形されていることを特徴とする請求項１に記載の咬翼法Ｘ線撮影用フィルムホルダである。
【００１５】
請求項２の発明では、翼部が保持部と一体成形されているので、翼部と保持部とが確実に固定される。また、翼部と保持部とを同一の素材で構成することができる。
【００１６】
請求項３の発明は、少なくとも前記保持部が、シリコン樹脂で形成されていることを特徴とする請求項１又は請求項２に記載の咬翼法Ｘ線撮影用フィルムホルダである。
【００１７】
請求項３の発明では、少なくとも保持部がシリコン樹脂で形成されているので、保持部は良好な柔軟性を備え、Ｘ線フィルムの周囲に沿って円滑に回転変形可能である。また、シリコン樹脂は、耐候性及び耐熱性に優れ、咬翼法Ｘ線撮影用フィルムホルダを殺菌処理しても変質せず、咬翼法Ｘ線撮影用フィルムホルダを清潔に保つことができる。よって、咬翼法Ｘ線撮影用フィルムホルダを安心して患者の口内に入れて使用することができる。
【発明の効果】
【００１８】
本発明の咬翼法Ｘ線撮影用フィルムホルダは、Ｘ線フィルムを保持部で保持し、保持部に固定した翼部の位置をＸ線フィルムに沿って移動させることができるので、相対的に翼部に対してＸ線フィルムを移動させることができる。そのため、上顎臼歯とその歯周部、又は下顎臼歯とその歯周部のいずれかを撮影できるようにＸ線フィルムの縦方向の寸法を小さくし、口内においてＸ線フィルムの位置を、上顎臼歯とその歯周部への対向位置から、下顎臼歯とその歯周部への対向位置まで移動することができる。
その結果、同一の咬翼法Ｘ線撮影用フィルムホルダで任意の位置の上下顎臼歯とその歯周部を平行法で良好な画像のＸ線撮影ができる。また、Ｘ線フィルムの縦方向の寸法を小さくすることができるので、患者に掛かる負担を極めて軽減することができる。
【図面の簡単な説明】
【００１９】
【図１】（ａ）は、本発明の咬翼法Ｘ線撮影用フィルムホルダの斜視図であり、（ｂ）は、Ｘ線フィルムの斜視図であり、（ｃ）は、（ａ）の咬翼法Ｘ線撮影用フィルムホルダ内に（ｂ）のＸ線フィルムを挿入した状態の斜視図であり、（ｄ）は、（ｃ）の状態からＸ線フィルムの周囲に沿って保持部を回転させて翼部を上方に移動させた状態の斜視図であり、（ｅ）は、（ｃ）の状態からＸ線フィルムの周囲に沿って保持部を回転させて翼部を下方に移動させた状態の斜視図である。
【図２】本発明の咬翼法Ｘ線撮影用フィルムホルダを口内に配置した状態を示す概略図であり、（ａ）は、図１（ｃ）に示すように翼部がＸ線フィルムの中央付近にある状態を示しており、（ｂ）は、（ａ）の状態から翼部に対して保持部を下方に移動させた状態を示しており、（ｃ）は、（ａ）の状態から翼部に対して保持部を上方に移動させた状態を示している。
【図３】（ａ）は、図１（ｃ）に示す咬翼法Ｘ線撮影用フィルムホルダとは別の形態の咬翼法Ｘ線撮影用フィルムホルダの斜視図であり、（ｂ）は、（ａ）の咬翼法Ｘ線撮影用フィルムホルダとはさらに別の咬翼法Ｘ線撮影用フィルムホルダの斜視図である。
【図４】（ａ）は、従来の咬翼法Ｘ線撮影に使用されるホルダの側面図であり、（ｂ）は、（ａ）のホルダに装着されるＸ線フィルム包装体の側面図であり、（ｃ）は、（ａ）のホルダに（ｂ）のＸ線フィルム包装体を装着した状態を示す側面図であり、（ｄ）は、（ｃ）のＸ線フィルム包装体を９０度回転させ、ホルダを使用可能な状態にした側面図である。
【発明を実施するための形態】
【００２０】
以下、図面を参照しながら説明する。
図１に示すように咬翼法Ｘ線撮影用フィルムホルダ１（以下、ホルダ１と称する。）は、保持部２と翼部３とを備えている。保持部２はシリコン樹脂製であって筒形状を呈している。保持部２の内部には内部空間４が形成されている。保持部２は柔軟性に富み、容易に変形することができる。保持部２の長さ寸法（幅寸法）はＬであり、また、保持部２を円筒形状にすると、直径Ｄを呈する。保持部２の厚さｔ１は０．３ｍｍ〜０．７ｍｍ（特に０．５ｍｍが好ましい）であるが、長さＬと直径Ｄは、後述するように、使用するＸ線フィルム５の寸法との兼ね合いで選定する。
【００２１】
また、保持部２には、長さＬ方向（保持部２の幅方向）に延びる基準線７と基準線８が設けられている。すなわち、基準線７と基準線８は、保持部２と翼部３の接続部分に沿う方向に延びている。基準線７及び基準線８は、保持部２の表面に塗料等を付着させて設けてもよいし、溝又は突条によって構成することもできる。
【００２２】
翼部３は、板形状を呈する部材である。翼部３の縦寸法Ｙは、例えば２０ｍｍとし、横寸法Ｘも２０ｍｍとすることができる。また翼部３の厚さｔ２は、保持部２の厚さｔ１よりも厚く設定されている。すなわち、翼部３の厚さｔ２は１．５ｍｍ〜２．５ｍｍ（特に２ｍｍが好ましい）である。翼部３の一辺（一端面）は、保持部２の円筒側面に固着されている。翼部３は、必ずしも変形容易である必要はないが、シリコン樹脂で形成し、保持部２と一体に形成してもよい。また、翼部３は、シリコン樹脂とは別の素材で構成し、保持部２と接着等によって接続してもよい。
【００２３】
また、翼部３には基準線６が設けられている。基準線６は、翼部３の幅方向Ｘの中央部分であって、縦方向（縦寸法Ｙの方向）と、厚さ方向（厚さｔ２の方向）に延びる線が連続して形成されている。すなわち基準線６は、翼部３の端面３ａと、上面３ｂ及び下面３ｃに連続して設けられている。端面３ａは、翼部３における保持部２に接続されている端面と対向する面である。基準線６も基準線７，８と同様に、翼部３の表面に塗料を塗布したり、溝又は突条を設けることによって形成される。
【００２４】
保持部２の円筒側面に、板形状の翼部３の一辺が接続され、図１（ａ）に示すようなホルダ１が構成される。このホルダ１の保持部２の内部空間４に図１（ｂ）に示すＸ線フィルム５を配置する。ここでＸ線フィルム５は、Ｘ線フィルム自体とＸ線フィルムを遮光すると共にＸ線フィルムに強度を持たせる包装体とを含む概念である。すなわち、Ｘ線フィルム５は、屈曲及び湾曲しにくい。Ｘ線フィルム５の幅寸法はＷであり、高さ寸法はＨである。
【００２５】
図１（ｃ）に示すように保持部２の内部空間４にＸ線フィルム５を配置する。ここでＸ線フィルム５の幅寸法Ｗは、保持部２の長さ寸法Ｌよりも長い。また、図１（ａ）に示す保持部２の内部空間４の直径Ｄは、保持部２を図１（ｃ）に示すように扁平形状に変形させた際に、保持部２の内面４ａに高さ寸法ＨのＸ線フィルム５が変形することなくちょうど密着する寸法である。
【００２６】
すなわちＸ線フィルム５を保持部２の内部空間４内に配置すると、保持部２は図１（ｃ）に示すように扁平形状に変形し、保持部２の内面４ａがＸ線フィルム５に対して環状に密着する。Ｘ線フィルム５（Ｘ線フィルム５を収容する包装体構造物）は、保持部２から受ける外力に抗する程度の剛性を有しており、保持部２の内部空間４を貫通して配置されても湾曲又は屈曲しない。
【００２７】
また、Ｘ線フィルム５の幅寸法Ｗは、保持部２の長さ寸法Ｌよりも長いので、Ｘ線フィルム５の両端が内部空間４からはみ出す。ホルダ１及びＸ線フィルム５は、患者の口内に配置することができる大きさに設定されている。例えば図１（ａ）に示すホルダ１の保持部２の長さＬは１５ｍｍ〜２５ｍｍ程度（特に２０ｍｍが好ましい）、直径Ｄは１５ｍｍ〜２５ｍｍ程度に設定する。図１（ｂ）に示すＸ線フィルム５の高さＨが、例えば３３ｍｍの場合には、ホルダ１の保持部２の直径Ｄを２１ｍｍに設定する。その結果、標準型（大人用）のＸ線フィルム５（包装体の外観寸法）として、高さＨが３３ｍｍ，幅Ｗが４５ｍｍ，厚さＴが１ｍｍのものを使用することができる。小児用のＸ線フィルム５はこれよりも各寸法が小さくなるので、ホルダ１の保持部２の各寸法もそれに合わせて調整する。
【００２８】
次に、保持部２は柔軟性を有するシリコン樹脂で環状（筒状）に形成されているので、Ｘ線フィルム５の周囲に沿ってスライド回転させることができる。すなわち、保持部２の内部空間４の内面４ａが、Ｘ線フィルム５の外面５ａ，５ｂ（表面及び裏面）及び縁５ｃ，５ｄに密着しながら相対移動が可能である。ここで縁５ｃ，５ｄは、幅方向に延びる長さＷの縁である。
【００２９】
その結果、保持部２の側面に取り付けられた翼部３は、図１（ｄ）に示すように上方へ移動したり、図１（ｅ）に示すように下方へ移動することができる。逆に、翼部３を基準にすると、Ｘ線フィルム５は下方へ移動したり、上方へ移動することができる。
【００３０】
以上説明したホルダ１を患者の口内に配置する。
図１（ｃ）に示すホルダ１をそのまま口内に配置すると、図２（ａ）に示すような状態となる。すなわち、Ｘ線フィルム５を保持したホルダ１の保持部２を口内１０に入れ、上顎臼歯１２と下顎臼歯１４とで翼部３を噛む。その結果、上顎臼歯１２及び下顎臼歯１４に対するＸ線フィルム５の位置が固定される。そして、上顎臼歯１２と下顎臼歯１４を噛み合わせた状態で良好にＸ線撮影することができる。また、翼部３の厚さｔ２は、保持部２の厚さｔ１よりも厚く設定されているので、患者が噛んでも破損しない。
【００３１】
図２（ａ）に示すように、Ｘ線フィルム５は上顎臼歯１２と下顎臼歯１４の上下方向（歯軸）に対して平行に配置されるので、翼部３を噛む咬翼法でＸ線フィルム５を口内１０に配置し、平行法によるＸ線撮影ができる。この場合にはホルダ１は図１（ｃ）に示す状態で使用される。ホルダ１を図１（ｃ）に示す状態にするには、保持部２に設けた基準線７を利用する。すなわち基準線７は、保持部２内にＸ線フィルム５を配置し、Ｘ線フィルム５の中央に翼部３が配置されると、Ｘ線フィルム５の縁５ｃ（端面）と同一平面上の仮想線９と交差する位置に設けられている。よって、基準線７をＸ線フィルム５の縁５ｃと同一平面上にくるように翼部３を移動させると、翼部３が保持部２（Ｘ線フィルム５）の中央に配置され、ホルダ１は図１（ｃ）に示す状態となる。
【００３２】
また、Ｘ線撮影のターゲットとなるいずれかの臼歯で翼部３の基準線６の部分を噛む。その結果、Ｘ線フィルム５の中央部分が基準線６に近い特定の臼歯に対向配置され、良好なＸ線写真が得られる。翼部２に基準線６を設けると、特定の臼歯に対してＸ線フィルム５の位置を固定することができる。その結果、同じ患者の同じ臼歯に対してＸ線フィルム５を何度でも同様に対向配置することができる。すなわち、臼歯とＸ線フィルム５の位置関係を再現できる。よって、患者の口内の例えば１年後や１０年後の状態を、Ｘ線写真で比較して正確な診断を行うことができるようになる。
【００３３】
次に、上顎臼歯１２とその歯周部１３とを重点的にＸ線撮影する場合には、基準線８を利用して図１（ｅ）に示すように予めホルダ１の翼部３を下方に移動させておく。具体的には、保持部２の両側の開口から突出するＸ線フィルム５の両端を指で挟持し、翼部３を別の手で持って図１（ｃ）で見て下方に引く。そして基準線８をＸ線フィルム５の縁５ｃ（端面）と同一平面上に配置する。換言すると、縁５ｃと同一平面上にある仮想線９と基準線８を交差させる。その結果、ホルダ１を図１（ｅ）に示す姿勢にすることができる。
【００３４】
そして、図１（ｅ）に示す姿勢のホルダ１（Ｘ線フィルム５）を口内１０に入れると、図２（ｃ）に示す状態となる。すなわち、Ｘ線フィルム５は上顎臼歯１２の全長に渡って対向する。そして図２（ｃ）に示すようにＸ線フィルム５を口内１０に配置すると、上顎臼歯１２，歯周部１３を平行法でＸ線撮影することができる。
【００３５】
逆に、下顎臼歯１４とその歯周部１５とを重点的にＸ線撮影する場合には、図１（ｄ）に示すように予めホルダ１の翼部３を上方に移動させておく。すなわち、図１（ｅ）に示す状態からホルダ１の上下を逆にすると、ホルダ１は図１（ｄ）に示す状態になる。図１（ｄ）に示す状態では、翼部３の下面３ｃが上側を向いている。
【００３６】
そして、翼部３を上方に移動させた状態のホルダ１（Ｘ線フィルム５）を口内１０に入れると、図２（ｂ）に示す状態となる。すなわち、Ｘ線フィルム５は下顎臼歯１４の全長に渡って対向する。そして図２（ｂ）に示すようにＸ線フィルム５を口内１０に配置すると、下顎臼歯１４とその歯周部１５を平行法でＸ線撮影することができる。
【００３７】
図２（ｂ）及び図２（ｃ）に示すように保持部２（Ｘ線フィルム５）を口内１０の上方領域又は下方領域に配置した際、Ｘ線フィルム５と上顎臼歯１２，下顎臼歯１４の上下方向（歯軸）は平行になり、平行法によるＸ線撮影が実施できる。
【００３８】
保持部２と翼部３は、同一素材で一体成形することもできる。すなわち、翼部３も保持部２と同様にシリコン樹脂で構成してもよい。
【００３９】
以上説明したホルダ１を使用することにより、Ｘ線フィルム５の高さＨを、上顎臼歯１２の根部分から下顎臼歯１４の根部分に到る高さにする必要がなく、必要に応じて保持部２（Ｘ線フィルム５）を上方へ移動させたり、下方へ移動させることができ、所望する部位のＸ線撮影を平行法で良好に実施することができるようになる。また、ホルダ１は、上顎臼歯と下顎臼歯をＸ線撮影する際に使用することができ、汎用性を有している。
【００４０】
保持部２に基準線７を設けたことにより、ホルダ１を容易に図１（ｃ）に示す状態にすることができる。また、保持部２に基準線８を設けたことにより、ホルダ１を容易に図１（ｄ）又は図１（ｅ）に示す状態にすることができる。すなわち、ホルダ１を初めて使用する使用者（歯科医、歯科衛生士等）でも、基準線７，８をＸ線フィルム５の縁５ｃ（端面）に位置合わせするだけでホルダ１を適切な状態（姿勢）にすることができる。ちなみに、ホルダ１の使用に熟練すれば、目安の基準線７，８を使用しなくても、Ｘ線フィルム５に対して翼部３を適切に移動させることができるようになる。
【００４１】
ホルダ１の代わりに、図３（ａ），（ｂ）に示すホルダ３１，３１ａを採用することもできる。図３（ａ）のホルダ３１は、保持部２と翼部３の幅寸法が同じであり、さらに両者の接続部２１が滑らかに連続するように構成されている。すなわち、接続部２１は、フレア状を呈しており、保持部２と翼部３の境界面が円弧面となっている。このように接続部２１を構成すると、保持部２と翼部３の接続部分が強化されると共に、保持部２と翼部３の直交姿勢を維持し易くなる。その結果、保持部２に保持されたＸ線フィルム５が臼歯と平行状態を保ち易くなり、良好なＸ線撮影を実施することができる。
【００４２】
また、図３（ｂ）に示すホルダ３１ａは、保持部２の幅寸法よりも翼部３の幅寸法が小さいが、接続部２１ａも図３（ａ）に示す接続部２１と同様に保持部２と翼部３とをフレア状に滑らかに連続しており、保持部２に対して翼部３を直交させた状態を維持することができる。
【符号の説明】
【００４３】
１    咬翼法Ｘ線撮影用フィルムホルダ
２    保持部
３    翼部
４    保持部の内部空間
５    Ｘ線フィルム
６    基準線
７    基準線
８    基準線
１０  口内
１１  口外
１２  上顎臼歯
１３  上顎臼歯の歯周部
１４  下顎臼歯
１５  下顎臼歯の歯周部
【図１】
2012183226.tif 000003
【図２】
2012183226.tif 000004
【図３】
2012183226.tif 000005
【図４】
2012183226.tif 000006